(57)【特許請求の範囲】
【請求項１】
ガス検出部を備えたガス検出ユニットと、
前記ガス検出部からのガス検出信号に基づき警報信号を発する指示警報部を設けた警報ユニットとを備えたガス警報装置において、
前記ガス検出部が校正用ガスを検知したときのガス検知信号を前記指示警報部が受け取り、警報信号を発するまでの応答時間を調べるガス警報装置用検査機構であって、
第一タイマを前記警報ユニットに設けるとともに、第二タイマを設けた計時ユニットを設け、
前記第一、第二タイマを同調させる同調手段を設けるとともに、
前記ガス検出部に校正用ガスを供給した時刻を記憶する検知時刻記憶部を、前記計時ユニットに設け、
前記校正用ガスの供給を受けた前記ガス検出部から、ガス検出信号を受信した時刻を記憶する応答時刻記憶部を、前記警報ユニットに設けたガス警報装置用検査機構。
【請求項２】
前記警報ユニットに対して複数のガス検出ユニットを設けてある請求項１に記載のガス警報装置用検査機構。
【請求項３】
前記検知時刻記憶部、応答時刻記憶部、に記憶された時刻情報を基に、応答時間を求める演算手段を設けた請求項１〜２のいずれかに記載のガス警報装置用検査機構。
【請求項４】
前記警報ユニットと、前記計時ユニットの記憶時刻情報を通信する通信手段を設けた請求項３に記載のガス警報装置用検査機構。
【請求項５】
ガス検出部を備えたガス検出ユニットと、前記ガス検出部からのガス検出信号に基づき警報信号を発する指示警報部を設けた警報ユニットとを備え、前記警報ユニットに、第一タイマと、校正用ガスの供給を受けた前記ガス検出部からガス検出信号を受信したときの前記第一タイマの時刻を記憶する応答時刻記憶部とを設けたガス警報装置において、前記ガス検出部が校正用ガスを検知したときのガス検知信号を前記指示警報部が受け取り、警報信号を発するまでの応答時間を調べるために用いられる計時ユニットであって、
前記ガス警報装置に対する通信手段と、前記第一タイマに対して同調可能な第二タイマと、前記ガス検出部に校正用ガスを供給したときの前記第二タイマの時刻を記憶する検知時刻記憶部とを設けたガス警報装置用検査機構用計時ユニット。
【発明の詳細な説明】
【０００１】
【発明の属する技術分野】
本発明は、ガス警報装置がガス警報を発する応答性等を評価する技術に関し、特にガス検出部を設けたガス検出ユニットと、前記ガス検出部からのガス検出信号に基づき警報信号を発する指示警報部を設けた警報ユニットとを備えたガス警報装置において、前記ガス検出部が被検知ガスを検知してガス検出信号を発するまでの応答時間を調べるガス警報装置用検査機構、および、それに用いられる装置に関する。
【０００２】
【従来の技術】
従来、ガス警報装置としては、被検知ガスに応答して出力を発生するガス検出部と、そのガス検出部からの被検知ガス検知信号を受け、警報信号を発生する指示警報部とが、別々のユニットとして設けられているものが知られており、例えば、可燃性ガス等を大量に取り扱う設備等からのガスの漏洩等を遠隔監視する必要があるようなときに有効に用いられている。しかし、このようなガス警報装置におけるガス検出部の性能を検査するような場合に、前記ガス検出部を備えたガス検出ユニットと、前記指示警報部を備えた警報ユニットとが遠隔地に配置されているような場合には、前記ガス検出部に点検用ガスを供給する作業者と、前記指示警報部がガス検出信号を受信するのを確認する作業者とが協同しなければ、ガス検出部が点検ガスを受けてから前記指示警報部がガス検出信号を受けるまでの時間を正確に測定することが出来ない状況にあった。
【０００３】
【発明が解決しようとする課題】
しかし、このように、多数のガス検出部からガス検知信号を受け、警報信号を発するまでのガス応答時間を、それぞれ二人の作業者が協同して点検しなければならないのは、能率として好ましくなく、さらに能率良く点検作業を行えるガス警報装置用検査機構が望まれている。
【０００４】
従って、本発明の目的は、上記実状に鑑み、作業者が一人であっても、点検作業を行えるガス警報装置用検査機構を提供することにある。
【０００５】
【課題を解決するための手段】
この目的を達成するための本発明のガス警報装置用検査機構の特徴構成は、
ガス検出部を備えたガス検出ユニットと、
前記ガス検出部からのガス検出信号に基づき警報信号を発する指示警報部を設けた警報ユニットとを備えたガス警報装置において、
前記ガス検出部が校正用ガスを検知したときのガス検知信号を前記指示警報部が受け取り、警報信号を発するまでの応答時間を調べるために、
第一タイマを前記警報ユニットに設けるとともに、第二タイマを設けた計時ユニットを設け、
前記第一、第二タイマを同調させる同調手段を設けるとともに、
前記ガス検出部に校正用ガスを供給した時刻を記憶する検知時刻記憶部を、前記計時ユニットに設け、
前記校正用ガスの供給を受けた前記ガス検出部から、ガス検出信号を受信した時刻を記憶する応答時刻記憶部を、前記警報ユニットに設けた点にある。
また、前記警報ユニットに対して複数のガス検出ユニットを設けてあってもよく、
前記検知時刻記憶部、応答時刻記憶部、に記憶された時刻情報を基に、応答時間を求める演算手段を設けてあることが好ましい。
また、前記警報ユニットと、前記計時ユニットの記憶時刻情報を通信する通信手段を設けてあれば好ましい。
【０００７】
〔作用効果〕
つまり、ガス検出部を設けたガス検出ユニットと、前記ガス検出部からのガス検出信号に基づき警報信号を発する指示警報部を設けた警報ユニットとを備えたガス警報装置は、ガス漏れ情報等を遠隔監視するような場合に、１カ所で広範囲にわたる地域の情報を把握できるという点で好適に用いられる。
このような場合、前記ガス検出ユニットと前記警報ユニットとは、離れた位置に設けられがちになる。その際、ガス警報装置用が正常に動作するかどうかを調べるためには、前記ガス検出部が校正用ガスを検知したときのガス検出信号を前記指示警報部が受け取り、警報信号を発するまでの応答時間を調べることが必要となる。
そこで、第一タイマを前記警報ユニットに設けるとともに、第二タイマを設けた計時ユニットを設け、前記第一タイマの初期化時刻記憶部を設け、前記第一、第二タイマを同調させる同調手段を設けてあれば、前記第一タイマ及び第二タイマは、同調手段により同調された以後、それぞれ同じ時刻を刻むので、いずれのユニットに操作を行った場合にも、その操作時刻や、その操作による各部位の動作時刻を記憶しておけば、どのような時間経過に基づいてそれぞれの動作が連動しているのかをたどることが可能になる。このとき、基準となる時刻を、前記第一タイマの初期化時刻として、第二タイマも同時に初期化時刻を基準とし、同調された時刻を刻めば、第一タイマと第二タイマとで正確な対応関係をとり続けられる。
【０００８】
つまり、前記ガス検出部に校正用ガスを供給した時刻を記憶する検知時刻記憶部を、前記計時ユニットに設け、前記校正用ガスの供給を受けた前記ガス検出部から、ガス検出信号を受信し、前記指示警報部が警報を発した時刻を記憶する応答時刻記憶部を、前記警報ユニットに設けてあることにより、前記検知時刻記憶部の記憶した検知時刻と、前記応答時刻記憶部に記憶した応答時刻との差を求めることにより、前記ガス検出部の応答時間を求めて評価することが可能となり、点検が行えることになる。
【０００９】
その結果、操作性が向上し、この点検操作を行う作業者は、
１．  まず、前記計時ユニットと前記警報ユニットとのタイマを同調させて同時にスタートさせる。
２．  次に、前記ガス検出ユニットの設置場所に移動し、ガス検出ユニットに校正用ガスを供給する。このとき作業者は、検知時刻を前記計時ユニットの検知時刻記憶部により記憶する。前記ガス検出ユニットは、前記校正用ガスの供給を受け、ガス検出信号を発する。このガス検出信号は、前記警報ユニットによって検知され、その応答時刻記憶部によって前記応答時刻が記憶される。
３．  ガス検出ユニットが複数ある場合は、前記作業者は順次ガス検出ユニットの設置場所を巡回し、２．の操作を繰り返す。すると、前記計時ユニットには、検知時刻が順次記憶できるとともに前記応答時刻記憶部には前記検知時刻に対応する応答時刻が順次記憶できる。
４．  前記計時ユニットに記憶された検知時刻と、前記警報ユニットに記憶された応答時刻とを照合させてその差を求めることにより応答時間が求められる。
という手順により、一人で点検操作が行えることになる。
【００１０】
このような操作性の向上は、前記警報ユニットに対して複数のガス検出ユニットを設けてある場合に特に効果的であり、相乗的な操作性の向上を望むことが出来る。
【００１１】
また、前記検知時刻記憶部、応答時刻記憶部、に記憶された時刻情報を基に、応答時間を求める演算手段を設けてあれば、ガス検出ユニットを複数設けた先の例でも、応答時間の評価が容易かつ迅速に行える。
また、前記警報ユニットと、前記計時ユニットの記憶時刻情報を通信する通信手段を設けてあれば、前記各時刻情報を通信して前記演算手段への入力として用いることが可能となるので、さらに操作性の向上を望むことが出来る。
【００１２】
本発明のガス警報装置用検査機構用計時ユニットの特徴構成は、ガス検出部を備えたガス検出ユニットと、前記ガス検出部からのガス検出信号に基づき警報信号を発する指示警報部を設けた警報ユニットとを備え、前記警報ユニットに、第一タイマと、校正用ガスの供給を受けた前記ガス検出部からガス検出信号を受信したときの前記第一タイマの時刻を記憶する応答時刻記憶部とを設けたガス警報装置において、前記ガス検出部が校正用ガスを検知したときのガス検知信号を前記指示警報部が受け取り、警報信号を発するまでの応答時間を調べるために用いられる計時ユニットであって、前記ガス警報装置に対する通信手段と、前記第一タイマに対して同調可能な第二タイマと、前記ガス検出部に校正用ガスを供給したときの前記第二タイマの時刻を記憶する検知時刻記憶部とを設けた点にある。
【００１３】
〔作用効果〕
つまり、このようなガス警報装置用検査機構用計時ユニットは、先のガス警報装置の検査を行うに当たって、高い操作性を発揮するとともに、コンパクトかつ携帯性に優れたものに設計しやすい。
【００１４】
【発明の実施の形態】
以下に本発明の実施の形態を図面に基づいて説明する。
本発明のガス警報装置用検査機構は、図１、図２に示すように、ガス検出部を設けたガス検出ユニット１と、前記ガス検出部１１からのガス検出信号に基づき警報信号を発する指示警報部２１を複数設けた警報ユニット２とを備えたガス警報装置に対して用いられる。
【００１５】
前記ガス検出ユニット１は、ガス検知素子を設けてなるガス検出部を設けて構成してある。
【００１６】
前記警報ユニット２は、前記ガス検出部からガス検出信号を得る回路部を備え、前記ガス検出ユニット１と有線接続されている。また、前記警報ユニット２には、第１タイマを設けてあるとともに、初期化時刻記憶部、応答時刻記憶部を設け、ガス検出信号を受けて、ブザー音、音声等による警報信号を発する警報回路、及び、前記ガス検出信号を受けて、前記第１タイマの時刻を応答時刻として記録するための点検操作回路、及び、その両回路を切り替える切替手段２２を設けてある。
【００１７】
本発明のガス警報装置用検査機構用計時ユニット３は、ガス警報装置に対する通信手段を設け、前記ガス警報装置に設けた第一タイマに対して同調可能な第二タイマを設けるとともに、検知時刻記憶部を設けてある。また、前記検知時刻記憶部は、複数設けてあり、複数の前記ガス検出ユニット１からの前記検知時刻をそれぞれ記憶可能に構成してあり、前記検知時刻を記憶する前記検知時刻記憶部を選択する操作部３１を設けてある。
【００１８】
また、前記計時ユニットには、前記第一、第二タイマを同調させる同調手段、及び、各記憶部からの情報を基に、応答時間を演算する演算手段を、マイコン制御の回路から設けてあり、前記計時ユニットの表示部に表示可能に構成してある。また、前記警報ユニット２には、前記応答時刻記憶部は、前記検知時刻記憶部と同様に複数設けてあり、前記検知時刻に対応する応答時刻をそれぞれ区別して記憶することが出来る。
【００１９】
この点検操作を行う作業者は、
１．  まず、前記警報ユニット２を点検操作回路に切り替え、前記計時ユニット３と前記警報ユニット２とのタイマを同期させ、前記初期化時刻記憶部に初期化時刻を記憶させる。
２．  次に、前記ガス検出ユニット１の設置場所に移動し、ガス検出ユニット１に校正用ガスを供給する。このとき作業者は、検知時刻を前記計時ユニット３の検知時刻記憶部により記憶する。前記ガス検出ユニット１は、前記校正用ガスの供給を受け、ガス検出信号を発する。このガス検出信号は、前記警報ユニット２によって検知され、その応答時刻記憶部によって前記応答時刻が記憶される。
３．  ガス検出ユニット１が複数ある場合は、前記作業者は順次ガス検出ユニット１の設置場所を巡回し、計時ユニット３の操作部３１を切り替え、検知時刻記憶部を選択するとともに、２．の操作を繰り返す。すると、前記計時ユニット１には、検知時刻が順次記憶できるとともに前記応答時刻記憶部には前記検知時刻に対応する応答時刻が順次記憶できる。
４．  前記計時ユニット１に記憶された検知時刻と、前記警報ユニット２に記憶された応答時刻とを照合させてその差を求めることにより応答時間が求められる。
５．  点検が終了すれば、前記切替手段を警報回路に切り替え、通常のガス検知状態にする。
【００２０】
〔別実施形態〕
前記同調手段や演算手段、表示手段等は、初期化時刻記憶部は、前記警報ユニット２やガス検出ユニット１のどちらにあっても良く、また、前記警報ユニット２やガス検出ユニット１とは別途演算ユニットを設けてその演算ユニットに設けてあっても良い。
尚、上述の実施の形態において、初期化時刻記憶部は、点検動作情報を記憶する上で設けてあったが、特に設けなくても応答時間の算出は可能である。
また、校正用ガスの供給に同期して前記計時ユニットに検知時刻を記憶させる記憶動作手段を設けてあれば、より正確な点検動作が行える。
【図面の簡単な説明】
【図１】本発明のガス警報装置用検査機構を示す概略図
【図２】本発明のガス警報装置用検査機構を示すブロック図
【符号の説明】
１    ガス検出ユニット
２    警報ユニット
３    計時ユニット
１１  ガス検出部
２１  ガス指示警報部
２２  切替手段
３１  操作部
【図１】
0004349700.tif 000002
【図２】
0004349700.tif 000003